(57)【要約】【課題】携帯電話などの通信端末における電子電話帳（メモリダイヤル）の利用において、第三者に対して通信相手先の名前を秘密にすると同時に、一々暗証番号で秘密ロックをとく必要がない、プライバシー保護を実現した、メモリダイヤルにおけるシークレット情報の登録・表示方法を提供する。【解決手段】メモリダイヤル機能を有する通信端末を用いた、メモリダイ  ヤルにおけるシークレット情報の登録・表示方法において、メモリダイヤルの所定のメモリに、通信相手先の電話番号、Ｅメールアドレス、名前と共に、登録者のみが知っている該名前の代替名前を登録する通信相手先情報の登録ステップ、登録者によるプライバシー保護希望の度合に応じて、前記の名前、代替名前のいずれか希望の名前を表示させる様に表示方法の選択指定を行う表示モードの選択指定ステップ、を設けることを特徴とする。【選択図】    図２
2005020204.tif 000002
【特許請求の範囲】
【請求項１】
メモリダイヤル機能を有する通信端末を用いた、メモリダイヤルにおけるシークレット情報の登録・表示方法において、
メモリダイヤルを構成する所定のメモリに、通信会相手先の電話番号、Ｅメールアドレス、名前と共に、登録者のみが知っている該名前の代替名前を登録する通信相手先情報の登録ステップ、
登録者によるプライバシー保護希望の度合に応じて、前記通信相手先情報の前記名前、前記代替名前のいずれか希望の名前を表示させる様に表示方法の選択指定を行う表示モードの選択指定ステップ、を設けることを特徴とするメモリダイヤルにおけるシークレット情報の登録・表示方法。
【請求項２】
請求項１のメモリダイヤルにおけるシークレット情報の登録・表示方法において、
所定の初期画面を用いて、登録データを対象とした編集モードの指定入力を行うステップ、
該指定入力を受けて、暗証番号入力画面を表示させるステップ、
該暗証番号入力画面を用いて暗証番号を入力するステップ、
入力された該暗証番号と登録済暗証番号の照合チェックを行うステップ、
照合結果が一致した場合に、通信先相手先の登録情報の編集用画面をオープン表示させるステップ、を設けることを特徴とするメモリダイヤルにおけるシークレット情報の登録・表示方法。
【発明の詳細な説明】
【０００１】
【発明の属する技術分野】
本発明は、電子電話帳（メモリダイヤル）利用に際して、第三者に対するプライバシーの保護を実現する、メモリダイヤルにおけるシークレット情報の登録・表示方法に関する。
現在、携帯電話機や通常電話機、パソコン利用電話機等において、メモリダイヤル機能は、標準的な機能として装備され、日常生活で頻繁に使用されている。
【０００２】
メモリダイヤルでは、利用者は、電話機に内蔵の不揮発性メモリで構成される電子電話帳に、記憶させて置きたい人や会社に関する氏名や会社名、アドレス、電話番号、ＦＡＸ番号、メール番号などの情報を登録する。
相手に電話やメールを送信したい場合は、名前の頭文字読み等を入力する事によって検索・表示を行い、候補者一覧から相手先を選択し、電話番号やメールアドレスを指定して通信を開始する。
【０００３】
又、相手からの着信があった場合に、相手からの電話番号の通知を受けて、該電話番号に対応した、名前や関連情報の検索を行い同時表示を行ったりさせることが出来る。
メモリダイヤルの利用によって、電話番号やメールアドレス等の入力の手間が不要となり入力ミスが防げる。又、相手先の名前が即時に確認できる。
【０００４】
このため、メモリダイヤルは、日常の利用においてのみならず、コールセンター等の専門分野では、顧客管理データベースと連携させて利用する事によってリピート顧客に対するサービス向上を実現する必須のツールとして役立っている。
他方、携帯電話機の場合は、常時、本人が携行する使い方が主である為に、本人以外の第三者には知られたくない個人氏名等のプライバシー情報をメモリダイヤルに登録し利用するケースが多い。
【０００５】
携帯電話の場合には、常時携行が通常の利用形態であるが、日常生活においては、横に第三者がいる時に着信表示がされたり、置き忘れたり、何らかの理由で一時的に、手元から離したり、親しい友人等の第三者に携帯電話を貸したりするケースが発生する。
この様な場合に、メモリダイヤルに登録した第三者に知られたくない情報を第三者に対して秘匿するシークレット機能が必要となり、種々の方法が実用化されたり、提案されている。
【０００６】
【従来の技術】
現在実用化されている携帯電話機のシークレット機能では、メモリダイヤル内に、第三者に知られたくない名前が存在した場合、シークレット機能を使用してメモリダイヤルを登録すると、着信時やメール受信時に名前が表示されず、電話番号やメールアドレスだけがそのまま表示される。
【０００７】
メモリダイヤル読出し時もシークレット扱いで登録されているメモリダイヤルは、暗証番号を入力しなければ名前や電話番号など全てのデータが表示されないようになっている。
従来技術による発明例としては、通信相手先の名前、電話番号をシークレット指定の属性と共にメモリに登録するステップ、通信相手先から文字情報を受信した時に、相手先の名前や電話番号にシークレット設定がされているかどうかを調べ、シークレット設定情報は、非表示とする受信情報チェック及び表示制御のためのステップ、シークレット指定情報を表示させる為の所定のキー入力操作ステップ、を有することを特徴とする電話機における受信文字の表示方法が開示されている（特許文献１参照）。
【０００８】
この特許文献１の技術は、前記の実用化されているシークレット機能によるシークレット情報の表示・非表示制御方式と同等技術である。
同様の発明例として、接続先の名前又は名称に通常、秘密の属性を付与し電話番号と共に関連記憶させる記憶手段、該属性の通常、秘密の区別に応じて、名前又は名称の非表示・表示の制御を行う表示制御手段、非表示の名前、又は名称を表示させる為の操作手段、を有することを特徴とする電話帳機能を有する電話機が提案されている（特許文献２参照）。
【０００９】
この、特許文献２に記載の技術も、前記の実用化されているシークレット機能による秘匿情報の表示・非表示制御方式の延長技術である。
さらに、関連発明例として、シークレット情報を登録するメモリ手段、個々のシークレット情報をパスワード入力によって表示させる為のキー操作手段、表示させたシークレット情報を一定時間後に自動的に秘匿モードに復帰させる制御手段、を有する事を特徴とする通信端末に係る発明が開示されている（特許文献３参照）。
【００１０】
この特許文献３に記載の技術は、情報を表示させる為に、パスワード入力によって一時的に秘匿モードから表示モードに変更した秘密情報を、ユーザが意識して操作しなくても自動的に秘匿モードに戻す技術である。
これによって、ユーザが秘匿モードに戻す操作をうっかりして忘れても、秘密にしたいシークレット情報の保護が行われる。
【００１１】
しかし、これらの従来の技術においては、秘匿指定対象の通信相手先から電話やメールが届いて、着信表示された場合、通信相手先の名称は表示されず、電話番号やメールアドレスしか表示されない。
この結果、ユーザは、シークレット機能を利用し、秘匿指定対象となる通信相手を設定した場合、発信元番号と発信者名称の対応関係を暗記しなければならない。
【００１２】
したがって、シークレット指定相手数が多くなると暗記は困難となり、その電話やメールがどの通信相手から届いたのか、即座に判断出来ず、着信後の通信処理の開始にあたって不便をきたしていた。
とくに、シークレット指定を行って登録されたメモリダイヤルの内容は、一々、パスワードを入力しなければ、読出しが不可能となるため、即時性、利便性に欠けていた。
【００１３】
【特許文献１】
特開平１１−３０８３６０号公報
【００１４】
【特許文献２】
特開２００２−１５３２６２号公報
【００１５】
【特許文献３】
特開平１１−３０８３２２号公報
【００１６】
【発明が解決しようとする課題】
従来の技術では、シークレット指定して登録された相手からの電話やメールは、相手先の名称が表示されない。
この為、電話番号やメールアドレスと相手先名称の対応を暗記していないか忘れている相手からの通信に対しては、一々パスワードを入力して相手の名称を表示させ、確認しなければならない。この為、即時性と利便性にかけていた。
【００１７】
本発明は、上記の問題点を解決する為になされたもので、通信の相手先名称に関して、第三者に対するプライバシー保護の為のシークレット性を確保し、かつ、利用者本人は、通信着信時に、パスワードを一々入力しなくても、即座に相手先確認ができる、メモリダイヤルにおけるシークレット情報の登録・表示方法を提供することを目的とする。
【００１８】
【課題を解決するための手段】
上記課題を解決するための第１の発明は、メモリダイヤル機能を有する通信端末を用いた、メモリダイヤルにおけるシークレット情報の登録・表示方法において、
メモリダイヤルを構成する所定のメモリに、通信会相手先の電話番号、Ｅメールアドレス、名前と共に、登録者のみが知っている該名前の代替名前を登録する通信相手先情報の登録ステップ、
登録者によるプライバシー保護希望の度合に応じて、前記通信相手先情報の前記名前、前記代替名前のいずれか希望の名前を表示させる様に表示方法の選択指定を行う表示モードの選択指定ステップ、を設けることを特徴とする。
【００１９】
本発明によれば、通信相手先を携帯電話等のメモリダイヤルに登録するユーザは、ユーザが第三者に対して、通信相手先の名前を秘匿したいプライバシー保護の希望が強い相手先に対しては、通信の着信時やメモリダイヤルの全員検索表示モードの時に、通信相手先の名前に替えて、ユーザだけが知っている通信相手先の代替名前を表示させることが出きる。
【００２０】
これによって、メモリダイヤルに、第三者に知られたくない通信相手先が登録してあった場合に、何らかの理由で、第三者に、着信表示時の端末表示画面やメモリダイヤル内部を覗かれても、プライバシーの保護を図ることが出来る。
又、本人は、代替名前を登録した通信相手先を承知しており、着信時には、電話番号やＥメールアドレスと共に代替名前が表示されることによって、通信相手が誰かを即時に知ることが出きる。
【００２１】
表示モードが選択指定されたメモリダイヤル内の通信相手先は、表示モードが新たな選択指定によって変更されない限り、同じ表示モードで表示される。
上記課題を解決するための第２の発明は、第１の発明において、
所定の初期画面を用いて、前記通信相手先の全データを対象とした編集モードの指定入力を行うステップ、
該指定入力を受けて、暗証番号入力画面を表示させるステップ、
該暗証番号入力画面を用いて暗証番号を入力するステップ、
入力された該暗証番号と登録済暗証番号の照合チェックを行うステップ、
照合結果が一致した場合に、通信先相手先の登録情報の編集用画面をオープン表示させるステップ、を設けることを特徴とする。
【００２２】
本発明によれば、ユーザは、通信相手先を表示モードを指定して登録した後でも、その後の事情によって、名前を代替名前に変更したり、代替名前を名前に変更したり、代替名前を別な代替名前に変更することが出来る。
これによって、状況に応じたプライバシー設定の変更を行うことが出来る。
【００２３】
【発明の実施の形態】
以下、本発明の実施の形態について、図を参照しながら説明する。
なお、全図を通じて理解を容易とするために同様箇所には、同一符号を付して示すものとする。
図１は、本発明における通信端末の構成図であり、１は、外部から通信信号を受信する受信部、２は、ユーザからの入力受付を行う入力部、３は、メモリダイヤルを記憶したメモリ、４は、ユーザが設定する暗証番号を記憶する記憶部、５は、受信部１や入力部２からのデータをもとに、メモリ３や記憶部４の検索を行い、必要なデータを出力する制御部、６は、制御部５が出力したデータを表示する表示部、を示している。
【００２４】
ユーザは、入力部２から、所定の登録画面を呼び出し、通信相手先情報をメモリ３内のメモリダイヤルに登録し、又、通信相手先の名前か代替名前のいずれかを選択表示させる様に指定できる。
制御部５は、受信部１からの着信表示や入力部２からの入力によるメモリダイヤルの検索表示時に、該指定に従って、名前か代替名前のいずれかを選択表示させる。
【００２５】
又、入力部２を使って指定画面から暗証番号を入力する事によって、記憶部４に事前に記憶された暗証番号との照合チェックが行われ、メモリ３内に事前登録された編集対象相手先情報を全て表示させ、更新編集画面から名前、代替名前の選択指定による表示モード変更などをを含む通信相手先情報の更新を行うことが出来る。
【００２６】
図２は、本発明におけるメモリダイヤルのメモリ構成図であり、メモリダイヤルを登録するメモリ３内に通信相手先情報に関し、従来の、登録番号、名前、電話番号、メールアドレス、に加えて、代替名前、該代替名前を名前に替えて表示させるか否かの指定属性（フラグ）である代替表示が追加されている。
代替名前は、通信相手の名前を秘密にしたい為に、通信相手の正式の名前に替わって表示させる為の、登録者（ユーザ）が名前との対応が即時に分かる別名である。
【００２７】
代替表示は、代替名前を名前に置き替えて表示させるか、どうかを指定する指示フラグであり、ＯＮの時には、電話帳検索や着信表示に際しては、名前に替わって代替名前が表示される。
本発明では、図２で示すように、プライバシー保護を図りたい通信相手先情報をメモリ３内のメモリダイヤルに登録する際にあらかじめ代替名前を登録し、代替表示の属性の選択指定を行うことによって表示させたい方（名前か代替名前のいずれか一方）選択指定が行われる。
【００２８】
この選択指定は、所定の通信相手先情報入力画面を使って、代替表示のＯＮ／ＯＦＦ指定メニューをクリック指定する事によって簡単に行える。
図２のようなメモリダイヤルのメモリ構成を持った通信端末に、電話番号‘０９０４８８８９９９９’の山本花子から着信があった場合、受信部１が受信した電話番号‘０９０４８８８９９９９’を制御部５がメモリ３から検索する。
【００２９】
図２のメモリ３内のメモリダイヤルには、‘０９０４８８８９９９９’が番号０００４に存在するので、制御部５は対応する代替表示ＯＮ／ＯＦＦの属性を判別する。
代替表示ＯＮ／ＯＦＦの属性はＯＮとなっており、代替名前は『山田四郎』となっているので、制御部５は代替名前の『山田四郎』を出力し、表示部６は、『山田四郎』と表示する。
【００３０】
同様に、図２のようなメモリダイヤルのメモリ構成を持った通信端末が、メールアドレス‘ｈａｎａｋｏ＠ｘｘｘｘ．ｎｅ．ｊｐ’の山本花子からのメールを受信した場合、受信部１が受信したメールアドレス‘ｈａｎａｋｏ＠ｘｘｘｘ．ｎｅ．ｊｐ’を、制御部５がメモリ３から検索する。
図２のメモリ構成図には、‘ｈａｎａｋｏ＠ｘｘｘｘ．ｎｅ．ｊｐ’が番号０００４に存在するので  、制御部５は対応する代替表示ＯＮ／ＯＦＦの属性を判別する。
【００３１】
代替表示ＯＮ／ＯＦＦの属性はＯＮとなっており、代替名前は『山田四郎』となっているので、制御部５は代替名前の『山田四郎』を出力する。表示部６は、『山田四郎』と表示する。
次に、図２のようなメモリ構成を持った通信端末で『山本花子』のメモリダイヤルの読み出し／編集を行う場合は、入力部２で選択された『山田四郎』のデータを、制御部５はメモリ３から読み出す。
【００３２】
表示部６は、出力された名前『山田四郎  』と電話番号とメールアドレスを表示し、表示されたデータの編集準備を行う。
ここで、ユーザーがキー操作を行いメニューから「登録データ編集」を選択すると、暗証番号の入力を促す画面が表示される。
ユーザーが暗証番号を入力し、それが記憶部４に記憶されている暗証番号と一致した場合、制御部５は『山本花子』と『山田四郎』の両方の名前と電話番号とメールアドレスと代替表示ＯＮ／ＯＦＦの属性を同時に出力する。
【００３３】
表示部６は、これらのデータを所定の表示形式で表示し、ユーザは、通信相手の山本花子に関する全データを入力部２から編集できる様になる。
次に、図３〜図５のフロー図を参照しながら、各事例ケース毎に、さらに詳細な説明を行う。
図３は電話着信があった場合のフロー図である。
【００３４】
ステップＳ１１で、受信部１による電話の受信が行われ、ステップＳ１２で、制御部５が受信した電話番号をメモリ３から検索する。
ステップＳ１３で、制御部５はメモリ３に該当電話番号が存在しない場合は、通信相手先が未登録と判断し、ステップＳ１４で、電話番号表示を行う。
又、ステップＳ１３で、該当電話番号が存在した場合は、ステップＳ１５で対応する代替表示ＯＮ／ＯＦＦの属性を判定し、ＯＮならばステップＳ１６でステップ代替名前を出力し、ＯＦＦならばステップＳ１７で名前を出力する。
【００３５】
表示部６は、ステップＳ１６、Ｓ１７で、各々、出力された代替名前、名前の表示を行う。
図４はメール着信時のフロー図である。
ステップＳ２１で、受信部１によるメールの受信が行われ、ステップＳ２２で制御部５がメモリ３から受信したメールアドレスを検索する。
【００３６】
ステップＳ２３で、制御部５はメモリ３に該当メールアドレスが存在しない場合は、通信相手先が未登録と判断し、ステップＳ２４で、表示部６は、メールアドレスをそのまま表示する。
ステップＳ２３で、該当メールアドレスが存在した場合、制御部５は、ステップ２５で該メールアドレスに対応する代替表示ＯＮ／ＯＦＦの属性を判別し、ＯＮならばステップＳ２６で代替名前を出力し、ＯＦＦならばステップＳ２７で名前を出力する。
【００３７】
表示部６は、ステップＳ２６、Ｓ２７で、各々、出力された代替名前、名前の表示を行う。
図５は、メモリダイヤル登録及び編集のフロー図である。
ステップＳ３１で、先ず、メモリダイヤルの登録か編集かを選択する初期画面を開く。
【００３８】
ステップＳ３２で、登録か編集か初期メニュー画面画面からユーザによる処理選択を行う。
登録処理が選択された場合は、ステップＳ３４で、通信相手先の名前、代替名前、電話番号、メールアドレス、代替表示ＯＮ／ＯＦＦの属性の入力を行う。
編集処理が選択された場合、制御部５は、ステップ３５でメモリ３のメモリダイヤルから編集したい通信相手先データをユーザの選択指定に応じて読み出す。
【００３９】
この時、ユーザが指定した、通信相手先の名前か代替名前に応じて、該通信相手先に係る登録データの読出しが行われる。
ステップＳ３６で、制御部５は、読み出した通信相手先の登録データの代替表示ＯＮ／ＯＦＦの属性を調べ、ＯＮ時には、スップＳ３７で、表示部６に、代替名前、電話番号、メールアドレスのデータを渡し、表示部６で表示が行われる。
【００４０】
ＯＦＦ時には、スップＳ３８で、制御部５は、表示部６に、名前、電話番号、メールアドレスのデータを渡し、表示部６で表示が行われる。
この後、ユーザがメモリ３内に登録されたメモリダイヤルの編集を希望する場合は、ステップＳ３９で、指定のキー入力操作が行われると、ステップＳ４０で、所定の入力画面が表示され、入力部２から暗証番号が入力される。
【００４１】
ステップＳ４１で、制御部５は、入力部２からの暗証番号の入力を確認すると、ステップＳ４２で、暗証番号が記憶された記憶部４の検索を行って、入力された暗証番号との照合を行う。
ステップ４２で、検索が行われるのは、通常電話機等の如く、複数の利用者が各々毎の独立したメモリダイヤル機能を同じ電話機を使い、各々の暗証番号に対応させて、編集可能とする場合を想定している。
【００４２】
携帯電話機の様に、一人のユーザが専用的に利用する場合は、単に照合だけで良い。
ステップＳ４３で、メモリ３に記憶された暗証番号と入力された暗証番号が一致していれば、制御部は、名前、代替名前、電話番号、メールアドレス、代替表示ＯＮ／ＯＦＦの属性など、登録データに係る全てのデータを出力し、表示部６がそれを表示し、ユーザによる登録データの全データの編集を可能とする。
【００４３】
また、メモリダイヤルに新規登録を行う場合には、ステップＳ３４で説明した如く、暗証番号入力を行わなくても全データの登録入力を可能とする。
このステップＳ３４における新規登録時に、第三者に見られたくない名前が存在した場合、名前とは別に自分のみがわかる別名を代替名前として登録し、代替名前表示の属性をＯＮに指定する。
【００４４】
これによって、通信着信時には、自分だけが即座に判断のつく代替名前を本当の名前に替わって表示させることが可能となる。
また、メモリダイヤル読出し時も暗証番号の入力が不要となる。さらに、第三者は、名前か代替名前かの区別が分からず、ユーザ本人は、編集モードで、代替名前ＯＮ／ＯＦＦの属性を変更する事によって、表示モードを簡単に変更することができる。
【００４５】
【発明の効果】
以上説明したように、本発明によれば、メモリダイヤルに第三者に見られたくない名前が存在した場合、ユーザーのみがわかる別名を登録し、そちらを選択しておけば、容易に判断のつく表示を実現することができる。
メモリダイヤル読出しには暗証番号入力などの操作をすることなく、通常の操作で読み出すことが可能となる。
【００４６】
通常の表示モードでは、表示する名前は代替名前か本当の名前か１つだけにするため、第三者は、表示された名前が代替名前か本当の名前かの区別をつけることは出来ない。
ユーザが登録した名前の属性を編集したい場合は、暗証番号を入力することによって、簡単に全属性を表示させ、編集作業を行うことができる。
【図面の簡単な説明】
【図１】本発明における通信端末の構成図である。
【図２】本発明におけるメモリダイヤルのメモリ構成図である。
【図３】電話着信時のフロー図である。
【図４】メール着信時のフロー図である。
【図５】メモリダイヤル登録および編集時のフロー図である。
【符号の説明】
１      受信部
２      入力部
３      メモリ
４      記憶部
５        制御部
６        表示部
【図１】
2005020204.tif 000003
【図２】
2005020204.tif 000004
【図３】
2005020204.tif 000005
【図４】
2005020204.tif 000006
【図５】
2005020204.tif 000007